(57)【特許請求の範囲】
【請求項１】
複数のシートが積み重ねられているシート積み重ね体であって、
前記シートを折り返すことによって形成され、折り返し部および開口部を有する第１のシート体と、
前記シートを折り返した後、さらに同じ方向に折り返すことによって形成され、１回目の折り返しによって形成された折り返し部および開口部と、２回目の折り返しによって形成された空間部を有する第２のシート体を備え、
前記第１のシート体は、積み重ね方向に沿って、積み重ね方向に直角な方向に対する折り返し部と開口部の位置関係が交互に逆となるように配置され、前記第２のシート体は、積み重ね方向に直角な方向に所定距離離れた箇所それぞれに、積み重ね方向に沿って、空間部が向き合うとともに、折り返し部が開口部より積み重ね方向の一方側に位置するように配置され、また、前記第１のシート体の折り返し部と開口部は、それぞれ、空間部が逆方向に開口するように配置されている２つの前記第２のシート体のうちの一方の前記第２のシート体の空間部の積み重ね方向の他方側と、他方の前記第２のシート体の空間部の積み重ね方向の一方側に挿入されていることを特徴とするシート積み重ね体。
【請求項２】
請求項１に記載のシート積み重ね体であって、前記第２のシート体の空間部の積み重ね方向の一方側に挿入されている第１のシート体の開口部が、当該第２のシート体の空間部の積み重ね方向の他方側に挿入されている第１のシート体の折り返し部より当該第２のシート体の空間部の開口側にずれた位置に配置されていることを特徴とするシート積み重ね体。
【請求項３】
請求項２に記載のシート積み重ね体であって、前記第２のシート体は、当該第２のシート体の折り返し部が、当該第２のシート体の開口部より当該第２のシート体の空間部の開口側にずれた位置に配置されるように折り返されていることを特徴とするシート積み重ね体。
【請求項４】
請求項１〜３のいずれかに記載のシート積み重ね体であって、前記シートとしてウェットティッシュが用いられていることを特徴とするシート積み重ね体。
【請求項５】
取り出し口が形成されたケースと、前記ケース内に収容され、複数のシートが積み重ねられたシート積み重ね体を備え、前記ケースの取り出し口から前記シート積み重ね体を構成するシートが順次取り出されるシート収容装置であって、前記シート積み重ね体として請求項１〜４のいずれかに記載のシート積み重ね体が用いられていることを特徴とするシート収容装置。
【請求項６】
取り出し口が形成されたケースと、前記ケースに収容され、複数のシートが積み重ねられたシート積み重ね体を備え、前記ケースの取り出し口から前記シート積み重ね体を構成するシートが順次取り出されるシート収容装置であって、
前記シートを折り返すことによって形成され、折り返し部および開口部を有する第１のシート体と、
前記シートを折り返した後、さらに同じ方向に折り返すことによって形成され、１回目の折り返しによって形成された折り返し部および開口部と、２回目の折り返しによって形成された空間部を有する第２のシート体を有し、
前記第１のシート体と前記第２のシート体を積み重ねることによって前記シート積み重ね体が構成され、
前記第１のシート体と前記第２のシート体は、前記ケースの取り出し口に対向する側の端部に積み重ねられている前記第１のシート体または前記第２のシート体が取り出される際に、当該第１のシート体または第２のシート体に隣接して積み重ねられている第２のシート体または第１のシート体の折り返し部が前記取り出し口から飛び出すように積み重ねられていることを特徴とするシート収容装置。
【発明の詳細な説明】
【技術分野】
【０００１】
本発明は、複数のシートを積み重ねてシート積み重ね体を構成する技術に関する。
【背景技術】
【０００２】
皮膚等に付着した汚れを落とすために、ウェットティッシュ等の種々のシートが用いられている。ところで、使用者によっては、ケースから取り出したシートを折り返して（折り畳んで）使用することがある。この場合、使用者は、ケースから取り出したシートを折り返す必要があるため、使い勝手がよくない。
そこで、折り返されたシートを取り出すことができるシート積み重ね体が提案されている（特許文献１参照）。このシート積み重ね体は、シートを折り返した後、さらに、同じ方向に折り返すことによって形成され、１回目の折り返しによって形成された折り返し部および開口部と、２回目の折り返しによって形成された空間部を有するシート体を用いている。そして、このシート体を、積み重ね方向に沿って、空間部が交互に逆方向に開口するとともに、シート体（折り返されたシート）を順次取り出すことができるように積み重ねることによってシート積み重ね体が構成されている。
【特許文献１】特開平６−９０８７５号公報
【発明の開示】
【発明が解決しようとする課題】
【０００３】
従来のシート積み重ね体は、シートを折り返した後、さらに同じ方向に折り返したシート体を用いているため、積み重ね方向の嵩が高くなる。これにより、シート積み重ね体を収容するケースの厚みが大きくなる。
本発明は、このような点に鑑みて創案されたものであり、積み重ね方向の嵩を低く抑えながら、折り返されたシートを取り出すことができる技術を提供することを目的とする。
【課題を解決するための手段】
【０００４】
一つの発明は、複数のシートを積み重ねたシート積み重ね体に関する。シート積み重ね体は、ウェットティッシュを含む種々のシートを積み重ねて構成することができる。シートは、典型的には、四角形（正方形あるいは長方形）に形成される。
本発明では、シートを折り返すことによって形成される第１のシート体と第２のシート体が用いられる。第１のシート体は、シートを１回折り返すことによって形成され、折り返し部および開口部を有している。第１のシート体は、典型的には、四角形に形成されているシートの１つの辺の中心位置から、当該１つの辺に交差する他の辺に平行な折り返し線に沿って折り返すことによって形成される。また、第２のシート体は、シートを折り返した後、さらに同じ方向に折り返すことによって（２気合折り返すことによって）形成され、１回目の折り返しによって形成された折り返し部および開口部と、２回目の折り返しによって形成された空間部を有している。第２のシート体は、典型的には、四角形に形成されているシートの１つの辺の中心位置から当該１つの辺に交差する他の辺に平行な折り返し線に沿って折り返し、さらに、１つの辺に対応する辺の中心位置から他の辺に平行な折り返し線に沿って折り返されることによって形成される。もちろん、第１のシート体および第２のシート体の折り返し箇所は適宜選択することができる。
第１のシート体は、第１のシート体の折り返し線に直角な方向（幅方向）から見て、積み重ね方向に沿って、積み重ね方向に直角な方向に対する折り返し部と開口部の位置関係が交互に逆となるように配置される。また、第２のシート体は、第２のシート体の折り返し線に直角な方向（幅方向）から見て、積み重ね方向に直角な方向に所定距離離れた箇所それぞれに、積み重ね方向に沿って、空間部が向き合う（積み重ね体の中心側を向く）とともに、折り返し部が開口部より積み重ね方向の一方側（取り出し口側）に位置するように配置される。典型的には、第２のシート体は、積み重ね方向に所定距離離れた箇所それぞれに、積み重ね方向に沿って配置される第１のグループの第２のシート体と、第２のグループの第２のシート体により構成される。この場合、第１のグループの第２のシート体と第２のグループの第２のシート体は、折り返し部が開口部より積み重ね方向の一方側に配置されるとともに、第１のグループの第２のシート体の空間部と第２のグループの第２のシート体の空間部が向き合うように配置される。そして、第１のシート体の折り返し部と開口部は、それぞれ、空間部が逆方向に開口するように配置されている２つの第２のシート体のうちの一方の第２のシート体の空間部の積み重ね方向の他方側と、他方の第２のシート体の空間部の積み重ね方向の一方側に挿入されている。典型的には、第１のグループの第２のシート体の空間部と第２のグループの第２のシート体の空間部に挿入される。「積み重ね方向の一方側」は、典型的には、第１のシート体または第２のシート体が取り出される側（取り出し口）を表す。
本発明では、折り返された状態でシート（第１のシート体または第２のシート体）を取り出すことができるため、使用者の使い勝手がよい。また、シートを１回折り返した第１のシート体と、シートを２回折り返した第２のシート体を積み重ねてシート積み重ね体を構成しているため、シート積み重ね体のシート積み重ね方向の嵩を低く抑えることができる。また、第１のシート体の折り返し部と開口部を、それぞれ、空間部が逆方向に開口している２つの第２のシート体の空間部に挿入している。このため、本発明のシート積み重ね体を取り出し口を有するケース内に収容した場合、第１のシート体または第２のシート体の取り出し口からの飛び出し量（取り出し量）を低く抑えることができる。
【０００５】
本発明の他の形態では、第１のシート体および第２のシート体の折り返し線に直角な方向から見て、第２のシート体の空間部の積み重ね方向の一方側に挿入されている第１のシート体の開口部が、当該第２のシート体の空間部の積み重ね方向の他方側に挿入されている第１のシート体の折り返し部より当該第２のシート体の空間部の開口側にずれた位置に配置されている。
本形態では、第２のシート体の空間部に、積み重ね方向に沿って挿入される２つの第１のシート体の接触面積を減少させることができる。これにより、第２のシート体の空間部の積み重ね方向の一方側に挿入されている第１のシート体が取り出される際に、当該第２のシート体の空間部の積み重ね方向の他方側に挿入されている第１のシート体の折り返し部の部分が飛び出す（取り出される）のを防止することができる。
【０００６】
本発明の更に他の形態では、第１のシート体および第２のシート体の折り返し線に直角な方向から見て、第２のシート体は、当該第２のシート体の折り返し部が、当該第２のシート体の開口部より当該第２のシート体の空間部の開口側にずれた位置に配置されるように折り返されている。
本形態では、第２のシート体の空間部の積み重ね方向の一方側に挿入されている第１のシート体の開口部が、当該第２のシート体の空間部の積み重ね方向の他方側に挿入されている第１のシート体の折り返し部より当該第２のシート体の空間部の開口側にずれた位置に配置される場合でも、シート積み重ね体の幅寸法が増大するのを抑えることができる。
【０００７】
本発明の更に他の形態では、シートとしてウェットティッシュが用いられている。本形態では、好適にウェットティッシュを積み重ねることができる。
【０００８】
他の発明は、取り出し口が形成されたケースと、ケース内に収容され、複数のシートが積み重ねられたシート積み重ね体を備え、ケースの取り出し口から、積み重ね体を構成するシートが順次取り出されるシート収容装置に関する。そして、本発明では、シート積み重ね体として前述したシート積み重ね体のいずれかが用いられている。
本発明では、シート収容装置の厚さ方向の高さを低く抑えることができる。
【０００９】
更に他の発明は、取り出し口が形成されたケースと、ケースに収容され、複数のシートが積み重ねられたシート積み重ね体を備え、ケースの取り出し口から、シート積み重ね体を構成するシートが順次取り出されるシート収容装置に関する。
本発明では、シートを折り返すことによって形成される第１のシート体と第２のシート体が用いられる。第１のシート体は、シートを折り返すことによって形成され、折り返し部および開口部を有している。第１のシート体は、典型的には、四角形に形成されているシートの１つの辺の中心位置から、当該１つの辺に交差する他の辺に平行な折り返し線に沿って折り返すことによって形成される。また、第２のシート体は、シートを折り返した後、さらに同じ方向に折り返すことによって形成され、１回目の折り返しによって形成された折り返し部および開口部と、２回目の折り返しによって形成された空間部を有している。第２のシート体は、典型的には、四角形に形成されているシートの１つの辺の中心位置から当該１つの辺に交差する他の辺に平行な折り返し線に沿って折り返し、さらに、１つの辺に対応する辺の中心位置から他の辺に平行な折り返し線に沿って折り返されることによって形成される。もちろん、第１のシート体および第２のシート体の折り返し箇所は適宜選択することができる。
そして、第１のシート体と第２のシート体を積み重ねることによってシート積み重ね体が構成される。第１のシート体と第２のシート体は、積み重ね方向の一方側の端部に積み重ねられている第１のシート体または第２のシート体が取り出される際に、当該第１のシート体または第２のシート体に隣接して積み重ねられている第２のシート体または第１のシート体の折り返し部が取り出し口から飛び出す（取り出される）ように積み重ねられている。第１のシート体と第２のシート体を積み重ねる態様としては、種々の態様を用いることができる。
本発明では、折り返された状態でシート（第１のシート体または第２のシート体）を取り出すことができるため、使用者の使い勝手がよい。また、シートを１回折り返した第１のシート体と、シートを２回折り返した第２のシート体を積み重ねてシート積み重ね体を構成しているため、シート積み重ね体のシート積み重ね方向の嵩を低く抑えることができる。
【発明の効果】
【００１０】
本発明を用いることにより、シート積み重ね体の嵩あるいはシート収容装置の厚さ方向の高さを抑えながら折り返された状態でシートを取り出すことができる。
【発明を実施するための最良の形態】
【００１１】
以下に、本発明の一実施の形態を、図１〜図４を参照して説明する。本実施の形態では、ウェットティッシュを積み重ねる場合について説明する。図１は、シート１１を１回折り返すことによって形成される第１のシート体１２を、折り返し線に直角な方向（幅方向）から見た図である。図２は、シート１１を２回折り返すことによって形成される第２のシート体１３を、折り返し線に直角な方向（幅方向）から見た図である。図３は、第１のシート体１２と第２のシート体１３を積み重ねて構成されたシート積み重ね体１０を、折り返し線に直角な方向（幅方向）から見た図である。図４は、本実施の形態のシート積み重ね体１０をケース１に収容したシート収容装置２０を折り返し線に直角な方向（幅方向）から見た図である。
ウェットティッシュ１１は、例えば、図１、図２に示されているように、長辺Ｍ（長さｍ）と短辺Ｎ（長さｎ）を有する長方形に形成された含浸シートにより構成される。勿論、ウェットティッシュ１１の形状は、正方形（ｍ＝ｎ）を含む種々の形状に形成することができる。含浸シートは、基材シートに含浸液を含浸することによって形成される。基材シートとしては、例えば、パルプを原料とするシート、パルプと熱可塑性樹脂を原料とするシート、不織布により形成されたシート等が用いられる。含浸液としては、例えば、水や水溶性アルコール等が用いられる。
【００１２】
本実施の形態のシート積み重ね体１０は、ウェットティッシュ１１を折り返すことによって形成される第１のシート体１２と第２のシート体１３により構成されている。
第1のシート体１２は、図1に示されているように、ウェットティッシュ１１を折り返すことによって形成される。本実施の形態では、ウェットティッシュ１１の１つの辺（長辺Ｍ）の中心から、当該１つの辺に交差する辺（短辺Ｎ）に平行な折り返し線（図1の破線）に沿って折り返している。これにより、第１のシート体１２は、折り返し部１２ａと、折り返しによって形成される空間部の開口部（以下、「開口部」という）１２ｂを有する。なお、図１では、１つの辺（長辺Ｍ）の中心位置で折り返しているため１つの辺（長辺Ｍ）の両端部が対向する箇所に開口部１２ｂが形成されているが、開口部１２ｂが形成される位置は、折り返し位置によって変化する。
第２のシート体１３は、図２に示されているように、ウェットティッシュ１１を折り返した後、さらに同じ方向に折り返すことによって形成される。本実施の形態では、先ず、ウェットティッシュ１１の１つの辺（長辺Ｍ）の中心から、当該１つの辺に交差する辺（短辺Ｎ）に平行な折り返し線（図２の波線）に沿って折り返し、次に、１つの辺に対応する辺の中心から、当該１つの辺に対応する辺に交差する辺（短辺Ｎ）に平行な折り返し線（図２の一点鎖線）に沿って折り返している。これにより、１回目の折り返し（破線に沿った折り返し）によって形成される折り返し部１３ａおよび開口部１３ｂと、２回目の折り返し（一点鎖線に沿った折り返し）によって形成される折り返し部１３ｃおよび空間部１３ｄを有する。
【００１３】
次に、第１のシート体１２と第２のシート体１３を積み重ねることによってシート積み重ね体１０を構成する。第１のシート体１２と第２のシート体１３は、積み重ね方向の一方側の端部（図３では上側の端部）に積み重ねられている第１のシート体１２または第２のシート体１３をシート積み重ね体１０から順次引き離す際に、当該引き離される第１のシート体１２または第２のシート体１３に隣接して積み重ねられている第２のシート体１３または第１のシート体１２の折り返し部もシート積み重ね体１０から引き離されるように積み重ねられる。
【００１４】
本実施の形態では、第１のシート体１２と第２のシート体１３は、以下のように積み重ねられている。
第１のシート体１２は、第１のシート体１２の折り返し線に直角な方向（幅方向）から見て、積み重ね方向（図３では上下方向）に沿って、折り返し部１２ａと開口部１２ｂの位置関係が、積み重ね方向に直角な方向（図３では左右方向）に対して交互に逆となるように配置される。なお、以下では、折り返し部１２ａと開口部１３ａが一方の位置関係に配置される第１のシート体１２を１２Ａで表し、他方の位置関係（一方の位置関係と逆の位置関係）に配置される第１のシート体１２を１２Ｂで表す。図３では、第１のシート体１２Ａは、折り返し部１２Ａａが左側（積み重ね方向に直角な方向に対して一方側）に配置され、開口部１２Ａｂが右側（積み重ね方向に直角な方向に対して他方側）に配置されている。また、第１のシート体１２Ｂは、折り返し部１２Ｂａが右側（積み重ね方向に直角な方向に対して他方側）に配置され、開口部１２Ｂｂが左側（積み重ね方向に直角な方向に対して一方側）に配置されている。
【００１５】
第２のシート体１３は、第２のシート体の折り返し線に直角な方向（幅方向）から見て、積み重ね方向に直角な方向（図３では左右方向）に所定の間隔Ｌｃ離れた箇所それぞれに、積み重ね方向（図３では上下方向）に沿って配置される。また、第２のシート体１３は、折り返し部１３ａが開口部１３ｂより積み重ね方向の一方側（図３では上側）に配置されるとともに、空間部１３ｄの開口方向が中心側を向くように配置される。なお、以下では、空間部１３ｄが積み重ね方向に直角な方向の一方側に開口されるように配置される第２のシート体１３（第１グループの第２のシート体１３）を１３Ａで表し、他方側に開口されるように配置される第２のシート体１３（第２グループの第２のシート体１３）を１３Ｂで表す。図３では、第２のシート体１３Ａ（第1グループの第２のシート体１３Ａ）は、空間部１３Ａｄが左側（積み重ね方向に直角な方向に対して一方側）に開口するように配置され、第２のシート体１３Ｂ（第２グループの第２のシート体１３Ｂ）は、空間部１３Ｂｄが右側（積み重ね方向に直角な方向に対して他方側）に開口するように配置されている。
【００１６】
そして、第１のシート体１２および第２のシート体１３の折り返し線に直角な方向（幅方向）から見て、第１のシート体１２の折り返し部１２ａと開口部１３ｂは、それぞれ、積み重ね方向に直角な方向（図３では左右方向）に対して逆方向に開口するように配置されている２つの第２のシート体１３のうちの一方の第２のシート体１３（一方のグループの第２のシート体１３）の空間部１３ｄの積み重ね方向の他方側（図３では下側）と、他方の第２のシート体１３（他方のグループの第２のシート体１３）の空間部１３ｄの積み重ね方向の一方側（図３では上側）に挿入されている。
図３では、空間部１３Ａｄが左側（積み重ね方向に直角な方向に対して一方側）に開口するように配置されている第２のシート体１３Ａ（第１グループの第２のシート体１３Ａ）の空間部１３Ａｄには、上側（積み重ね方向の一方側）に第１のシート体１２Ａの開口部１２Ａｂが挿入され、下側（積み重ね方向の他方側）に、第１のシート体１２Ａより下側（積み重ね方向の他方側）に配置されている第１のシート体１２Ｂの折り返し部１２Ｂａが挿入されている。また、空間部１３Ｂｄが右側（積み重ね方向に直角な方向に対して他方側）に開口するように配置されている第２のシート体１３Ｂ（第２のグループの第２のシート体１３Ｂ）の空間部１３Ｂｄには、上側（積み重ね方向の一方側）に第１のシート体１２Ｂの開口部１２Ｂｂが挿入され、下側（積み重ね方向の他方側）に、第１のシート体１２Ｂより下側（積み重ね方向の他方側）に配置されている第１のシート体１２Ａの折り返し部１２Ａａが挿入されている。
第１のシート体１２Ａの折り返し部１２Ａａ側は、第２のシート体１３Ｂの空間部１３Ｂｄに長さＬａ挿入され、第１のシート体１２Ｂの折り返し部１２Ｂａ側は、第２のシート体１３Ａの空間部１３Ａｄに長さＬａ挿入されている。また、第１のシート体１２Ａの開口部１２Ａｂ側は、第２のシート体１３Ａの空間部１３Ａｄに長さＬｂ挿入され、第１のシート体１２Ｂの開口部１２Ｂｂ側は、第２のシート体１３Ｂの空間部１３Ｂｄに長さＬｂ挿入されている。本実施の形態では、［Ｌａ＝Ｌｂ］に設定されている。また、シート積み重ね体１０の幅寸法は、Ｌである。
なお、シート積み重ね体１０の積み重ね方向の一方側（図３では上側）の端部および他方側（図３では下側）の端部では異なる状態で積み重ねられる。例えば、図３に示されているように、シート積み重ね体１０の積み重ね方向の一方側の端部では、第１のシート体１２Ａの折り返し部１２Ａａは、第２のシート体１３の空間部１３ｄに挿入されていない。
【００１７】
第１のシート体１２（１２Ａ、１２Ｂ）と第２のシート体１３（１３Ａ、１３Ｂ）を積み重ねて構成されたシート積み重ね体１０は、図３に示されているシート収容装置２０のケース１内に収容される。ケース１には、シート取り出し口２が形成されている。シート積み重ね体１０を構成している第１のシート体１２（１２Ａ、１２Ｂ）および第２のシート体１３（１３Ａ、１３Ｂ）は、ケース１の取り出し口２から順次取り出される。本実施の形態では、シート積み重ね体１０は、図３の上側（積み重ね方向の一方側）がケース１の取り出し口２側に配置されるようにケース１内に収容される。
【００１８】
ケース１の取り出し口２から第１のシート体１２（１２Ａ、１２Ｂ）および第２のシート体１３（１３Ａ、１３Ｂ）を取り出す動作を、図３および図５を参照して以下に説明する。
シート積み重ね体１０の一方側の上側（積み重ね方向の一方側）の端部に積み重ねられている第１のシート体１２Ａを取り出す場合には、第１のシート体１２Ａの折り返し部１２Ａａ側を、取り出し口２から実線矢印（１）で示されている上方向（積み重ね方向の一方側の方向）に引っ張り、シート積み重ね体１０から引き離す。この時、第１のシート体１２Ａの開口部１２Ａｂ側も破線矢印（１’）で示されている上方向に引っ張られる。本実施の形態では、第１のシート体１２Ａの開口部１２Ａｂは、第２のシート体１３Ａの空間部１３Ａｄの上側（積み重ね方向の一方側）に挿入されている。このため、第１のシート体１２Ａの開口部１２Ａｂ側が破線矢印（１’）で示される上方向に引っ張られる時に、第１のシート体１２Ａの開口部１２Ａｂ側と第２のシート体１３Ａの折り返し部１３Ａａ側との間の摩擦力等によって、第２のシート体１３Ａの折り返し部１３Ａａ側も上方向に引っ張られる。そして、第１のシート体１２Ａが取り出し口２から取り出された時、第２のシート体１３Ａの折り返し部１２Ａａ側の一部が取り出し口２から飛び出した状態（取り出された状態）となる。
この場合、第１のシート体１２Ａを取り出し口２から取り出すことによって、次に取り出される第２のシート体１３Ａの折り返し部１３Ａａ側の一部が取り出し口２から取り出された状態となるように、第１のシート体１２Ａおよび第２のシート体１２Ｂの材質、第１のシート体１２Ａと第２のシート体１３Ａの接触面積（例えば、積み重ね方向に直角な方向の接触長さＬａ、Ｌｂ）、取り出し口２の形状等が設定される。
【００１９】
次に、第２のシート体１３Ａを取り出す場合には、取り出し口２から取り出されている第２のシート体１３Ａの折り返し部１３Ａａ側を実線矢印（２）で示されている上方向に引っ張り、シート積み重ね体１０から引き離す。この時、第２のシート体１３Ａの開口部１３Ａｂ側も破線矢印（２’）で示される上方向に引っ張られる。本実施の形態では、第２のシート体１３Ａの空間部１３Ａｄの下側（積み重ね方向の他方側）には第１のシート体１２Ｂの折り返し部１２Ｂａが挿入されている。このため、第２のシート体１３Ａの開口部１３Ａｂ側が破線矢印（２’）で示される上方向に引っ張られる時に、第２のシート体１３Ａの開口部１３Ａｂ側と第１のシート体１２Ｂの折り返し部１２Ｂａ側との間の摩擦力等によって、第１のシート体１２Ｂの折り返し部１２Ｂａ側も上方向に引っ張られる。そして、第２のシート体１３Ａが取り出し口２から取り出された時、第１のシート体１２Ｂの折り返し部１２Ｂａ側の一部が取り出し口２から飛び出した状態（取り出された状態）となる。
以下、同様にして、取り出し口２から取り出されている第１のシート体１２Ｂの折り返し部１２Ｂａ側の一部を上方向に引っ張ると、第１のシート体１２Ｂが取り出されるとともに、次に取り出される第２のシート体１３Ｂの折り返し部１３Ｂａ側の一部が取り出し口２から飛び出した状態（取り出された状態）となる。また、取り出し口２から取り出されている第２のシート体１３Ｂの折り返し部１３Ｂａの一部を上方向に引っ張ると、第２のシート体１３Ｂが取り出されるとともに、次に取り出される第１のシート体１２Ａの折り返し部１２Ａａ側の一部が取り出し口２から飛び出した状態（取り出された状態）となる。
【００２０】
以上のように、本実施の形態では、ウェットティッシュ１１を折り返すことによって形成され、折り返し部と開口部を有する第１のシート体と、ウェットティッシュを折り返した後、さらに同じ方向に折り返すことによって形成され、１回目の折り返しによって形成された折り返し部および開口部と、２回目の折り返しによって形成された空間部を有する第２のシート体を積み重ねることによってシート積み重ね体１０を構成している。これにより積み重ね体１０の積み重ね方向の嵩を低くすることができる。例えば、特許文献１に記載されている従来のシート積み重ね体に比べて、積み重ね方向の嵩を［２／３］に抑えることができる。これにより、シート積み重ね体１０を収容するケース１の高さ、したがって、シート収容装置２０の高さも低く抑えることができる。なお、ケース１の高さが低くなることにより、シートの残り枚数が少ない時に、取り出し口２から指を入れてシートを取り出す作業が容易となる。また、シート積み重ね体１０の嵩が低い場合、同じ高さのケース１内に収容可能なシートの数が増大する。
また、ケース１の取り出し口２から、折り返された状態のシート（第１のシート体１２または第２のシート体１３）が取り出されるため、利用者は、取り出したシートを折り返す操作を行う必要がない。このため、使用者の使い勝手が向上する。
また、第２のシート体１３を、積み重ね方向に直角な方向に所定距離Ｌｃ離れた箇所それぞれに、積み重ね方向に沿って、空間部が向き合う方向に開口するように配置している。そして、第１のシート体の折り返し部と開口部を、それぞれ、空間部が逆方向に開口している２つの第２のシート体の空間部（第１のグループの第２のシート体の空間部と第２のグループの第２のシート体の空間部）に挿入しているため、第１のシート体１２または第２のシート体１３の取り出し口２からの飛び出し量（取り出し量）を低く抑えることができる。この効果は、シートとしてウェットティッシュを用いる場合に特に有効である。
【００２１】
ところで、第２のシート体１３Ａの空間部１３Ａｄに挿入されている第１のシート体１２Ａと第１のシート体１２Ｂの接触面積（あるいは第２のシート体１３Ｂの空間部１３Ｂｄに挿入されている第１のシート体１２Ｂと第１のシート体１２Ａとの接触面積）が大きいと、第１のシート体１２Ａが取り出される際（あるいは第１のシート体１２Ｂが取り出される際）に、第１のシート体１２Ｂの折り返し部１２Ｂａ側の部分（あるいは第１のシート体１２Ａの折り返し部１２Ａａ側の部分）も取り出し口２から飛び出す（取り出される）虞がある。
これを防止した本発明の他の実施の形態を図６に示す。
本実施の形態では、第２のシート体１３の空間部１３ｄの上側（積み重ね方向の一方側）に挿入されている第１のシート体１２と下側（積み重ね方向の他方側）に挿入されている第１のシート体１２との接触面積を低減するために、上側に挿入されている第１のシート体１２の開口部１２ｂを、下側に挿入されている第１のシート体１２の折り返し部１２ａより空間部１３ｄの開口側にずらせている。
すなわち、図６に示されているように、第２のシート体１１３Ａの空間部１１３Ａｄの上側に挿入されている第１のシート体１１２Ａの開口部１１２Ａｂを、空間部１１３Ａｄの下側に挿入されている第１のシート体１１２Ｂの折り返し部１１２Ｂａより空間部１１３Ａｄの開口側に距離Ｌｄだけずらせた位置に配置している。また、第２のシート体１１３Ｂの空間部１１３Ｂｄの上側に挿入されている第１のシート体１１２Ｂの開口部１１２Ｂｂを、空間部１１３Ｂｄの下側に挿入されている第１のシート体１１２Ａの折り返し部１１２Ａａより空間部１１３Ｂｄの開口側に距離Ｌｄだけずらせた位置に配置している。
なお、第２のシート体１１３ａ（１１３Ａ、１１３Ｂ）は、図６に一点鎖線で示されているように、１つの辺（長辺Ｍ）に対応する辺の中心から、当該１つの辺に対応する辺に交差する辺（短辺Ｎ）に平行な折り返し線に沿って折り返すことによって形成することができる。しかしながら、この場合、シート積み重ね体１１０の幅寸法Ｌが長くなることがある。これを防止するために、本実施の形態では、図６に二点鎖線で示されているように、１つの辺（長辺Ｍ）に対応する辺の中心からずれた位置から、当該１つの辺に対応する辺に交差する辺（短辺Ｎ）に平行な折り返し線に沿って折り返すことによって第２のシート体１１３（１１３Ａ、１１３Ｂ）を形成している。図６では、第２のシート体１１３Ａは、折り返し部１１３Ａａが、開口部１１３Ａｂより空間部１１３Ａｄの開口側にずれた位置に配置されるように折り返されている。同様に、第２のシート体１１３Ｂは、折り返し部１１３Ｂａが、開口部１１３Ｂｂより空間部１１３Ｂｄの開口側にずれた位置に配置されるように折り返されている。
本実施の形態では、第２シート体の空間部の上側（積み重ね方向の一方側）に挿入されている第１のシート体の開口部側が取り出される際に、当該空間部の下側（積み重ね方向の他方側）に挿入されている第１のシート体の折り返し部側が、取り出し口から飛び出す（取り出される）のを防止することができる。また、第１のシート体および第２のシート体の折り返し線に直角な方向から見て、第２のシート体の折り返し部の位置と空間部の位置をずらせているため、シート積み重ね体の幅寸法が増加するのを抑えることができる。
【００２２】
本発明は、実施の形態で説明した構成に限定されず、種々の変更、追加、削除が可能である。
ウェットティッシュを積み重ねる場合について説明したが、本明細書に開示されている技術は、種々のシートを積み重ねる場合に適用することができる。
第１のシート体と第２のシート体を積み重ねる態様としては、シート積み重ね体の一方側の端部に積み重ねられている第１のシート体または第２のシート体を順次取り出すことができる種々の態様を用いることができる。すなわち、本発明は、「第１のシート体と、第２のシート体を備えるシート積み重ね体。」、「第１のシート体と第２のシート体を積み重ねて構成されたシート積み重ね体。」として構成することができる。
実施の形態で説明した各構成は単独で用いることもできるし、適宜選択した複数を組み合わせて用いることもできる。
【図面の簡単な説明】
【００２３】
【図１】一実施の形態のシート積み重ね体を構成する第１のシート体を示す図である。
【図２】一実施の形態のシート積み重ね体を構成する第２のシート体を示す図である。
【図３】一実施の形態のシート積み重ね体を、第１のシート体および第２のシート体の折り返し線に直角な方向から見た図である。
【図４】一実施の形態のシート積み重ね体をケースに収容したシート収容装置を示す図である。
【図５】一実施の形態のシート積み重ね体からシートを取り出す状態を示す図である。
【図６】他の実施の形態のシート積み重ね体をケースに収容したシート収容装置を示す図である。
【符号の説明】
【００２４】
１  ケース
２  取り出し口
１０、１１０  シート積み重ね体
１１  ウェットテッィシュ（シート）
１２、１２Ａ、１２Ｂ、１１２Ａ、１１２Ｂ  第１のシート体
１３、１３Ａ、１３Ｂ、１１３Ａ、１１３Ｂ  第２のシート体
１２ａ、１３ａ、１２Ａａ、１２Ｂａ、１３Ａａ、１３Ｂａ、１１２Ａａ、１１２Ｂａ  第１の折り返し部
１２ｂ、１３ｂ、１２Ａｂ、１２Ｂｂ、１３Ａｂ、１３Ｂｂ  開口部
１３ｃ  第２の折り返し部
１３ｄ  空間部
２０、１２０  シート収容装置
【図１】
0005143611.tif 000002
【図２】
0005143611.tif 000003
【図３】
0005143611.tif 000004
【図４】
0005143611.tif 000005
【図５】
0005143611.tif 000006
【図６】
0005143611.tif 000007